(57)【要約】【課題】刈取り作業中における運転者の視界を確保すると共に、ライトに対する破損や稈屑の付着を防止し、かつメンテナンス作業を容易にすることができるコンバインを提供する。【解決手段】コンバインの刈取り部の側面に取付けられるサイドカバー３２の後部に膨出部４０を形成し、該膨出部４０の前面４１にライト用の窓４２を形成し、ライトを前記窓４２と対向するように刈取り部のフレーム２０に配置してなる。サイドカバー３２の膨出部４０による死角を減少させ、運転者の視界を確保することができる。また、ライトがサイドカバー３２の前面３２ａより後方に配置され、ライトの破損や稈屑の付着をなくすことができる。また、サイドカバーの着脱を容易にしてメンテナンス作業の作業性を向上させることができる。【選択図】      図４
2004229521.tif 000002
【特許請求の範囲】
【請求項１】
側面を覆うサイドカバーが着脱自在に配置された刈取り部にライトを配置するようにしたコンバインであって、
前記サイドカバーは、
側面の平坦部の後部に、上下方向に沿って前記側面の外方に向けて膨出する膨出部が形成され、
前記平坦部から前記側面の外方に向けて立ち上がる前記膨出部の前面に、前記ライト用の窓が形成され、
前記ライトは、
前記ライト用の窓と対向するように、前記刈取り部のフレームに配置されていることを特徴とするコンバイン。
【請求項２】
前記サイドカバーは、
側面の平坦部の下部から後部に亘り、下部の前後方向と後部の上下方向に沿って前記側面の外方に向けて略Ｌ字状に膨出する膨出部が形成され、
前記膨出部の後部の膨出部分で前記平坦部から前記側面の外方に向けて立ち上がる前記膨出部分の前面に、前記ライト用の窓が形成され、
前記膨出部の下部の膨出部分に、前記サイドカバーの係止手段が配置され、
前記平坦部上方に、前記サイドカバーのロック手段が配置されていることを特徴とする請求項１記載のコンバイン。
【請求項３】
前記ライトは、
前記ライトを前記刈取り部のフレームに取付けるためのステーが一体に形成されたライトカバーに支持されていることを特徴とする請求項１記載のコンバイン。
【発明の詳細な説明】
【０００１】
【発明の属する技術分野】
本発明は、側面を覆うサイドカバーが着脱自在に配置された刈取り部にライトを配置するようにしたコンバインに関する。
【０００２】
【従来の技術】
刈取り部の側面を覆う着脱自在なサイドカバーにライトを配置したコンバインがある（例えば、特許文献１参照）。
【０００３】
【特許文献１】
実開平０５−００８８１９号公報  （第３頁  第２図）
【０００４】
【発明が解決しようとする課題】
前記コンバインでは、サイドカバーと刈取り部の構造部材との干渉を避けるように、サイドカバーの側面全体が外方に向けて膨出するように構成されているため、該膨出部により運転者の視界が遮られ、刈取り部側面側の視認性を低下させ、刈取り作業時におけるコンバインの走行方向の微調整などの操作がし難い点があった。
【０００５】
また、前記コンバインでは、サイドカバーの外側に回動自在に配置されたケースにライトを取付けた構成であり、ライトがサイドカバーから突出した形となっているため、ライトが運転者の視界を遮ったり、刈取り作業中に穀稈がライトと接触し、稈屑等がライトに付着したり、ライトを破損することがあった。
【０００６】
また、刈取り部のメンテナンス作業を行う場合、サイドカバーを脱着する際に電源とライトを結ぶ配線も脱着しなければならず、煩雑な作業が必要になり、メンテナンス作業の作業性が低下する。
【０００７】
前記の事情に鑑み、本発明は、運転者の視界を確保すると共に、刈取り作業中におけるライトの破損や稈屑の付着を防止し、かつ刈取り部のメンテナンス作業を容易にすることができるコンバインを提供することを目的とする。
【０００８】
【課題を解決するための手段】
請求項１に係る発明は、側面を覆うサイドカバー（３２）が着脱自在に配置された刈取り部（５）にライト（５１）を配置するようにしたコンバインであって、
前記サイドカバー（３２）は、
側面の平坦部（３９）の後部に、上下方向に沿って前記側面の外方に向けて膨出する膨出部（４０）が形成され、
前記平坦部（３９）から前記側面の外方に向けて立ち上がる前記膨出部（４０）の前面（４１）に、前記ライト用の窓（４２）が形成され、
前記ライト（５１）は、
前記ライト用の窓（４２）と対向するように、前記刈取り部（５）のフレーム（２０）に配置されていることを特徴とするコンバインにある。
【０００９】
請求項２に係る発明は、前記サイドカバー（３２）は、
側面の平坦部（３９）の下部から後部に亘り、下部の前後方向から後部の上下方向に沿って前記側面の外方に向けて略Ｌ字状に膨出する膨出部（４０）が形成され、
前記膨出部（４０）の後部の膨出部分（４０ａ）で前記平坦部（３９）から前記側面の外方に向けて立ち上がる前記膨出部分（４０ａ）の前面に、前記ライト用の窓（４２）が形成され、
前記膨出部（４０）の下部の膨出部分（４０ｂ）に、前記サイドカバー（３２）の係止手段（４３）が配置され、
前記平坦部（３９）上方に、前記サイドカバー（３２）のロック手段（４５）が配置されていることを特徴とする請求項１記載のコンバインにある。
【００１０】
請求項３に係る発明は、前記ライト（５１）は、
前記ライト（５１）を前記刈取り部（５）のフレーム（２０）に取付けるためのステー（４９）が一体に形成されたライトカバー（５０）に支持されていることを特徴とする請求項１記載のコンバインにある。
【００１１】
なお、括弧内の符号等は、図面と対照するためのものであり、これは、発明の理解を容易にするための便宜的なものであって、特許請求の範囲に何等影響を及ぼすものではない。
【００１２】
【発明の実施の形態】
以下、本発明の実施の形態を図面に基づいて説明する。
【００１３】
図１乃至図７は本発明の実施の形態を示すもので、図１は、本発明を適用したコンバインの一例を示す斜視図、図２は、図１に示すコンバインの正面図、図３は、図１に示すコンバインの側面図、図４は、図１に示すコンバインのサイドカバーを示す斜視図、図５は、図４に示すサイドカバーの内側を示す側面図、図６は、図４に示すサイドカバー部の分解斜視図、図７は、サイドカバーとライトの関係を示す拡大正面図である。
【００１４】
図１乃至図３に示すように、コンバイン１は、左右一対のクローラ走行装置２Ｌ、２Ｒに支持された機体３の前方に刈取り部５が配置されている。また、前記機体３の左側（コンバイン１の前進方向に向かって左側）には、前記刈取り部５の後方に位置するように、前記刈取り部５で刈取った穀稈の脱穀を行う脱穀部６と、穀粒が脱穀された排稈を切断して圃場に排出する排稈処理装置７と、前記刈取り部５で刈取られた穀稈を前記脱穀部６に沿って搬送するフィードチェーン（図示せず）と、前記脱穀部６で脱穀された排稈を前記排稈処理装置７へ搬送する排稈チェーン（図示せず）が配置されている。
【００１５】
前記機体３の右側（コンバイン１の前進方向に向かって右側）には、前記刈取り部５の後方に位置するように運転席９と、該運転席９の下に位置するエンジンルーム１０と、前記脱穀部６で脱穀された穀粒を一時貯蔵するグレンタンク１１と、該グレンタンク１１内の穀粒を排出するオーガ１２（図３参照）が配置されている。
【００１６】
前記運転席９には、運転者が座る座席１３と、該座席１３の周りに配置され、コンバイン１の走行方向（前進、後進）と走行速度を操作する主変速レバー１５、走行状態と作業状態を切換える副変速レバー１６、前記刈取り部５や脱穀部６の作動、停止を切換える作業機クラッチレバー１７、コンバイン１の旋回と前記刈取り部５の昇降を操作する操向レバー１９等の操作部材と、各種のスイッチ類（図示せず）が設けられている。
【００１７】
前記刈取り部５は、例えば、パイプ状部材を組み合わせて構成され、前記機体３に揺動自在に連結されたフレーム２０と、該フレーム２０の先端に所定の間隔で配置され、穀稈列に侵入して穀稈の分草を行う複数の分草体２１と、複数の爪２２を備え、該爪２２により前記分草体２１で分草された穀稈を梳き上げる引起こし装置２３と、前記刈取り部の下方に配置され、前記引起こし装置２３で梳き上げられた穀稈を刈取る刈刃２５と、該刈刃２５によって刈取られた穀稈を掻き込む掻き込み装置２４と、該掻き込み装置２４によって掻き込まれた穀稈を搬送すると共に、穀稈が前記脱穀部６を通過する際の穀稈の穂先位置を調整する扱ぎ深さ搬送装置２６とを備え、穀稈を刈取ると共に前記フィードチェーンまで搬送するように構成されている。
【００１８】
前記刈取り部５の前面には、前記引起こし装置２３の前面を覆う引起こしケース２７が配置されている。また、前記刈取り部５の上方には、前記運転席９の前方で前記刈取り部の上方（即ち、前記引起こしケース２７の上方）を覆うように前記フレーム２０に着脱自在に配置された防塵カバー２９と、前記運転席９の側方で前記刈取り部５の上方（即ち、前記掻き込み装置２４と扱ぎ深さ搬送装置２６の上方）を覆うように配置された防塵カバー３０が設けられている。また、前記刈取り部５の両側には、前記脱穀機６側の左サイドカバー３１と前記運転席９側の右サイドカバー３２が着脱自在に配置されている。
【００１９】
前記左サイドカバー３１は、側面の平坦部３３の下部から後部に亘り、下部の前後方向と後部の上下方向に沿って前記側面の外方（左側）に向けて膨出する略Ｌ字状（コンバイン１の右側から見た場合、コンバイン１の左側から見た場合には、逆Ｌ字状になる）の膨出部３５が形成されている。該膨出部３５の下部の膨出部分３５ａの内側に位置するようにフック３６が固定され、前記平坦部３３の上部には、その内側に突出するようにロックハンドル３７が固定されている。なお、左サイドカバー３１の上端部は、前記防塵カバー２９及び防塵カバー３０の端面と対応する位置まで延設されている。
【００２０】
左サイドカバー３１は、前記のように構成されているので、側面の平坦部３３から外方に向けて立ち上がる膨出部３５の立ち上り部がリブのような補強部材として作用し、左サイドカバー３１の剛性を向上させることができる。
【００２１】
図４乃至図７に示すように、前記右サイドカバー３２は、側面の平坦部３９の下部から後部に亘り、下部の前後方向と後部の上下方向に沿って前記側面の外方（右側）に向けて膨出する略Ｌ字状（コンバイン１の右側から見た場合）の膨出部４０が形成され、該膨出部４０の後部の膨出部分４０ａで前記平坦部３９から前記側面の外方（右側）に向けて立ち上がる前記膨出部分４０ａの前面４１にライト用の窓４２が形成されている。即ち、前記窓４２は、右サイドカバー３２の前面３２ａより後方に後退した位置に形成されている。
【００２２】
右サイドカバー３２は、前記のように構成されているので、側面の平坦部３９から外方に向けて立ち上がる膨出部４０の前面４１を含む立ち上り部がリブのような補強部材として作用し、右サイドカバー３２の剛性を向上させることができる。
【００２３】
前記右サイドカバー３２の膨出部４０の下部の膨出部分４０ｂの内側に位置するようにフック４３が固定され、前記平坦部３９の上部には、その内側に向けて突出するようにロックハンドル４５が固定されている。なお、右サイドカバー３２の上端部は、前記防塵カバー２９の端面と対応する位置まで延設されている。
【００２４】
図５及び図６に示すように、前記刈取り部５のフレーム２０には、前記右サイドカバー３２に固定されたフック４３と対応する位置に係止部材４６が固定され、前記ロックハンドル４５と対応する位置に係止部材４７が固定されている。そして、前記右サイドカバー３２に固定されたフック４３を係止部材４６に係合させ、ロックハンドル４５を係止部材４７に係合させることにより、右サイドカバー３２を刈取り部５の右側面に取付けることができる。なお、前記刈取り部５のフレーム２０の左側には、前記と同様に前記左サイドカバー３１のフック３６とロックハンドル３７を係合させる係止部材（図示せず）が配置されている。
【００２５】
また、図５乃至図７に示すように、前記刈取り部５のフレーム２０には、前記右サイドカバー３２の窓４２と対応する位置に、ステー４９を介してライトカバー５０が支持され、該ライトカバー５０内にライト５１が着脱自在に取付けられている。
【００２６】
前記のように、右サイドカバー３２の前部に平坦部３９を形成しているので、膨出部４０による運転者の視界の死角を減らし、前記刈取り部５の周囲の視認性を向上させることができる。また、右サイドカバー３２の後部に形成された膨出部４０の後部の膨出部分４０ａの内部にライト５１を配置するようにしたので、即ち、右サイドカバー３２の前面３２ａより後方に後退した位置にライト５１を配置するように構成されているので、刈取り作業を行った場合、引起こし装置２３で梳き上げられ刈取られた穀稈が、右側に倒れ引起こし装置２３の引起こしケース２７及び右サイドカバー３２の前面３２ａに沿って搬送されても、ライト５１と接触することがなく、ライト５１に稈屑やごみが付着したり、破損することを防止することができる。
【００２７】
また、ライト５１を刈取り部５のフレーム２０に取付けるためのステー４９と一体に構成されたライトカバー５０内に配置するようにしているので、刈取り部５の内側からライト５１側に稈屑やごみが侵入しても、これらの稈屑やごみがライト５１に付着するのを防止することができる。
【００２８】
また、右サイドカバー３２は、フック４３とロックハンドル４５で係止部材４６、４７に取付けているので、右サイドカバーの着脱が容易であるだけでなく、電源とライト５１を接続する電線（又はハーネス）の着脱を行う必要がなく、作業が容易であり、メンテナンス作業の作業性を向上させることができる。
【００２９】
【発明の効果】
請求項１に係る発明によれば、サイドカバーの後部に膨出部を形成し、該膨出部の前面にライト用の窓を形成し、該窓と対向するように刈取り部のフレームにライトを配置するようにしたので、膨出部による死角を減らし運転者の視界を確保することができる。また、ライトをサイドカバーの前面から後方に後退した位置に配置しているので、ライトを破損したりライトに稈屑が付着するのを防止することができる。また、ライトを刈取り部のフレーム側に取付けるようにしたので、右サイドカバーを外す際に電源とライトを結ぶ配線等を外す必要がなくメンテナンス作業の作業性を向上させることができる。
【００３０】
請求項２に係る発明によれば、サイドカバーの下部の膨出部に係止手段を設け、平坦部にロック手段を配置することにより、サイドカバーの着脱を容易にして、メンテナンス作業の作業性を向上させることができる。
【００３１】
請求項３に係る発明によれば、ライトカバーを設けたので、刈取り部の内側からライト側へ稈屑やごみが侵入しても、これら稈屑やごみがライトに付着するのを防止することができる。
【図面の簡単な説明】
【図１】本発明を適用したコンバインの一例を示す斜視図。
【図２】図１に示すコンバインの正面図。
【図３】図１に示すコンバインの側面図。
【図４】図１に示すコンバインのサイドカバーを示す斜視図。
【図５】図４に示すサイドカバーの内側を示す側面図。
【図６】図４に示すサイドカバー部の分解斜視図。
【図７】サイドカバーとライトの関係を示す拡大正面図。
【符号の説明】
１…コンバイン
５…刈取り部
２０…フレーム
３２…サイドカバー（右サイドカバー）
３９…平坦部
４０…膨出部
４０ａ…膨出部分
４０ｂ…膨出部分
４１…前面
４２…窓
４３…係止手段（フック）
４５…ロック手段（ロックハンドル）
４９…ステー
５０…ライトカバー
５１…ライト
【図１】
2004229521.tif 000003
【図２】
2004229521.tif 000004
【図３】
2004229521.tif 000005
【図４】
2004229521.tif 000006
【図５】
2004229521.tif 000007
【図６】
2004229521.tif 000008
【図７】
2004229521.tif 000009